(57)【要約】【課題】従来の照明装置よりも、より太陽光らしさを感じることのできる照明装置を提供する。【解決手段】本発明の一態様として、基板１０に配置された、色温度が２０００〜９０００Ｋの範囲内の色温度を有する太陽光を基準光としたときの演色評価数Ｒｆ、Ｒｇの１００からの差が１０以下である複数の発光素子から構成される面状の光源１１と、複数の発光素子の光軸Ｌと斜めに交わるように配置された散乱板１５と、複数の発光素子の光軸Ｌと交わらないように配置された、有彩色を含む背景面１３と、を備え、光源１１から発せられて、直接散乱板１５に入射する光と、背景面１３に反射されてから散乱板１５に入射する光とを散乱板１５から取り出す、照明装置１を提供する。【選択図】図１
2019079683.tif 000002
【特許請求の範囲】
【請求項１】
基板上に配置された、色温度が２０００〜９０００Ｋの範囲内の色温度を有する太陽光を基準光としたときの演色評価数Ｒｆ、Ｒｇの１００からの差が１０以下である複数の発光素子から構成される面状の光源と、
複数の前記発光素子の光軸と斜めに交わるように配置された散乱板と、
複数の前記発光素子の光軸と交わらないように配置された、有彩色を含む背景面と、
を備え、
前記光源から発せられて、直接前記散乱板に入射する光と、前記背景面に反射されてから前記散乱板に入射する光とを前記散乱板から取り出す、
照明装置。
【請求項２】
前記光源が、複数の前記発光素子としての色温度が５０００Ｋの光を基準光としたときの演色評価数Ｒｆ、Ｒｇの１００からの差が５以下である発光素子から構成される第１の発光領域、複数の前記発光素子としての色温度が６５００Ｋの光を基準光としたときの演色評価数Ｒｆ、Ｒｇの１００からの差が５以下である発光素子から構成される第２の発光領域、及び複数の前記発光素子としての色温度が３０００Ｋの光を基準光としたときの演色評価数Ｒｆ、Ｒｇの１００からの差が５以下である発光素子から構成される第３の発光領域、のうちの少なくとも１つを有し、
前記光源が、前記第１の発光領域、前記第２の発光領域、及び前記第３の発光領域のうちの２つ以上を有する場合は、それらが前記散乱板の前記基板に対する最大傾斜方向に直交する方向に並び、かつそれらがそれぞれ独立して発光することができる、
請求項１に記載の照明装置。
【請求項３】
前記光源が前記第１の発光領域、前記第２の発光領域、又は前記第１の発光領域と前記第２の発光領域から構成される場合は、前記背景面が青色を前記有彩色として含み、
前記光源が前記第３の発光領域から構成される場合は、前記背景面がオレンジ色を前記有彩色として含み、
前記光源が前記第１の発光領域と前記第３の発光領域、前記第２の発光領域と前記第３の発光領域、又は前記第１の発光領域と前記第２の発光領域と前記第３の発光領域から構成される場合は、前記背景面が青色、オレンジ色、又は青色とオレンジ色を前記有彩色として含む、
請求項２に記載の照明装置。
【請求項４】
前記光源が、前記第１の発光領域、前記第２の発光領域、及び前記第３の発光領域を有し、
前記第１の発光領域と前記第２の発光領域と前記第３の発光領域とが、前記第１の発光領域が前記第２の発光領域と前記第３の発光領域との間に位置するように並ぶ、
請求項３に記載の照明装置。
【請求項５】
前記背景面が、背景色が白色であって、前記第３の発光領域から離れた領域から近い領域に向かって段階的に青色が濃くなる領域、背景色が白色であって、前記第２の発光領域から離れた領域から近い領域に向かって段階的にオレンジ色が濃くなる領域、又は背景色が白色であって、前記第３の発光領域から離れた領域から近い領域に向かって段階的に青色が濃くなり、前記第２の発光領域から離れた領域から近い領域に向かって段階的にオレンジ色が濃くなる領域を有する、
請求項４に記載の照明装置。
【請求項６】
前記第１の発光領域及び前記第２の発光領域が、前記第３の発光領域よりも発光面積が小さく、発光強度が大きい、
請求項２〜５のいずれか１項に記載の照明装置。
【請求項７】
前記第１の発光領域が、前記第２の発光領域よりも発光強度が大きい、
請求項６に記載の照明装置。
【発明の詳細な説明】
【技術分野】
【０００１】
本発明は、照明装置に関する。
【背景技術】
【０００２】
従来の照明装置として、白色とアンバー色のＬＥＤ（Light Emitting Diode）を用いた、照明色を所望の色に設定できる車両室内用の照明装置が知られている（例えば、特許文献１）。
【０００３】
また、従来の他の照明装置として、光軸が斜め下向きに設定された上部光源と光軸が上向きに設定された下部光源用いて、徐々に太陽が昇っていく様子を模した、寝室用の目覚まし装置として用いることのできる照明装置が知られている（例えば、特許文献２）。
【先行技術文献】
【特許文献】
【０００４】
【特許文献１】特開２００５−１５３６０６号公報
【特許文献２】特開２０１３−１４３３２７号公報
【発明の概要】
【発明が解決しようとする課題】
【０００５】
しかしながら、特許文献１、２に記載された装置のような従来の照明装置は、いずれも光の色やスペクトルを調整したり、光の動きを太陽光に似せたりなど、光源の特性にのみ着目したものであり、太陽光を模した照明装置として使用するには、屋外での開放感や、日光を浴びたとき、見たときの心理的、生理的効果は低い。
【０００６】
本発明の目的は、従来の照明装置よりも、より太陽光らしさを感じることのできる照明装置を提供することにある。
【課題を解決するための手段】
【０００７】
本発明の一態様は、上記目的を達成するために、下記［１］〜［７］の発光装置を提供する。
【０００８】
［１］基板上に配置された、色温度が２０００〜９０００Ｋの範囲内の色温度を有する太陽光を基準光としたときの演色評価数Ｒｆ、Ｒｇの１００からの差が１０以下である複数の発光素子から構成される面状の光源と、複数の前記発光素子の光軸と斜めに交わるように配置された散乱板と、複数の前記発光素子の光軸と交わらないように配置された、有彩色を含む背景面と、を備え、前記光源から発せられて、直接前記散乱板に入射する光と、前記背景面に反射されてから前記散乱板に入射する光とを前記散乱板から取り出す、照明装置。
【０００９】
［２］前記光源が、複数の前記発光素子としての色温度が５０００Ｋの光を基準光としたときの演色評価数Ｒｆ、Ｒｇの１００からの差が５以下である発光素子から構成される第１の発光領域、複数の前記発光素子としての色温度が６５００Ｋの光を基準光としたときの演色評価数Ｒｆ、Ｒｇの１００からの差が５以下である発光素子から構成される第２の発光領域、及び複数の前記発光素子としての色温度が３０００Ｋの光を基準光としたときの演色評価数Ｒｆ、Ｒｇの１００からの差が５以下である発光素子から構成される第３の発光領域、のうちの少なくとも１つを有し、前記光源が、前記第１の発光領域、前記第２の発光領域、及び前記第３の発光領域のうちの２つ以上を有する場合は、それらが前記散乱板の前記基板に対する最大傾斜方向に直交する方向に並び、かつそれらがそれぞれ独立して発光することができる、上記［１］に記載の照明装置。
【００１０】
［３］前記光源が前記第１の発光領域、前記第２の発光領域、又は前記第１の発光領域と前記第２の発光領域から構成される場合は、前記背景面が青色を前記有彩色として含み、前記光源が前記第３の発光領域から構成される場合は、前記背景面がオレンジ色を前記有彩色として含み、前記光源が前記第１の発光領域と前記第３の発光領域、前記第２の発光領域と前記第３の発光領域、又は前記第１の発光領域と前記第２の発光領域と前記第３の発光領域から構成される場合は、前記背景面が青色、オレンジ色、又は青色とオレンジ色を前記有彩色として含む、上記［２］に記載の照明装置。
【００１１】
［４］前記光源が、前記第１の発光領域、前記第２の発光領域、及び前記第３の発光領域を有し、前記第１の発光領域と前記第２の発光領域と前記第３の発光領域とが、前記第１の発光領域が前記第２の発光領域と前記第３の発光領域との間に位置するように並ぶ、上記［３］に記載の照明装置。
【００１２】
［５］前記背景面が、背景色が白色であって、前記第３の発光領域から離れた領域から近い領域に向かって段階的に青色が濃くなる領域、背景色が白色であって、前記第２の発光領域から離れた領域から近い領域に向かって段階的にオレンジ色が濃くなる領域、又は背景色が白色であって、前記第３の発光領域から離れた領域から近い領域に向かって段階的に青色が濃くなり、前記第２の発光領域から離れた領域から近い領域に向かって段階的にオレンジ色が濃くなる領域を有する、上記［４］に記載の照明装置。
【００１３】
［６］前記第１の発光領域及び前記第２の発光領域が、前記第３の発光領域よりも発光面積が小さく、発光強度が大きい、上記［２］〜［５］のいずれか１項に記載の照明装置。
【００１４】
［７］前記第１の発光領域が、前記第２の発光領域よりも発光強度が大きい、上記［６］に記載の照明装置。
【発明の効果】
【００１５】
本発明によれば、従来の照明装置よりも、より太陽光らしさを感じることのできる照明装置を提供することができる。
【図面の簡単な説明】
【００１６】
【図１】図１は、実施の形態に係る照明装置の斜視図である。
【図２】図２は、実施の形態に係る照明装置の垂直断面図である。
【図３】図３は、第１の発光領域、第２の発光領域、第３の発光領域を有する場合の光源の構成を概略的に示す平面図である。
【図４】図４（ａ）〜（ｃ）は、光源が第１の発光領域、第２の発光領域、第３の発光領域を有する場合の、背景面の正面から見た照明装置の平面図である。
【図５】図５（ａ）、（ｂ）は、照明装置の動作時における拡散板上の光の分布を模式的に示す平面図である。
【図６】図６は、照明装置が車両室内の搭乗者の頭上に設置される場合の照明装置の設置角度の例を示す概念図である。
【発明を実施するための形態】
【００１７】
〔実施の形態〕
（照明装置の構成）
図１は、実施の形態に係る照明装置１の斜視図である。図２は、実施の形態に係る照明装置１の垂直断面図である。
【００１８】
照明装置１は、基板１０上に配置された、複数の発光素子から構成される面状の光源１１と、光源１１を構成する複数の発光素子の光軸Ｌと斜めに交わるように配置された散乱板１５と、光軸Ｌと交わらないように配置された、有彩色を含む背景面１３と、を備えた照明装置であって、光源１１から発せられて、直接散乱板１５に入射する光と、背景面１３に反射されてから散乱板１５に入射する光とを散乱板１５から取り出す照明装置である。
【００１９】
照明装置１においては、光源１１から発せられて、直接散乱板１５に入射する光により、太陽を表現し、光源１１から発せられて、背景面１３に反射されてから散乱板１５に入射する光により、空を表現することができる。
【００２０】
光源１１を構成する発光素子は、色温度が２０００〜９０００Ｋの範囲内の色温度を有する太陽光を基準光としたときの演色評価数Ｒｆ、Ｒｇの１００からの差が１０以下、好ましくは５以下である発光素子である。光源１１を構成する複数の発光素子は、光軸を揃えて基板１０上に配置される。光源１１を構成する複数の発光素子は、典型的にはＬＥＤチップやレーザーダイオードチップと蛍光体とを含む発光素子である。
【００２１】
演色評価数Ｒｆ、Ｒｇは、北米照明学会（ＩＥＳ）によって定められた光の演色性の新しい評価方法「ＴＭ−３０−１５」において用いられる演色評価数である。
【００２２】
Ｒｆは色の忠実度を表すパラメータであり、９９種の色についての試験により得られるため、平均演色評価数Ｒａよりも高い精度で色の忠実度を評価することができる。Ｒｆの上限は１００であり、１００に近いほどテスト光の色が基準光（太陽光等）の色に近いことを示す。
【００２３】
Ｒｇは従来の評価方法にはなかった色の鮮やかさを表すパラメータである。Ｒｇが１００に近いほど、テスト光の色の鮮やかさが基準光（太陽光等）の色の鮮やかさに近いことを示す。Ｒｇは１００より小さい値も大きい値もとり得る。
【００２４】
光源１１が、色温度の異なる複数の発光領域を有する場合、それらは散乱板１５の基板１０に対する最大傾斜方向（傾斜角が最大になる方向）に直交する方向に並ぶ。また、異なる複数の発光領域には独立して電源が供給され、それらを独立して発光させることができる。
【００２５】
光源１１は、例えば、色温度が５０００Ｋの光を基準光としたときの演色評価数Ｒｆ、Ｒｇの１００からの差が５以下である、昼頃の太陽の光に近い光を発する複数の発光素子から構成される第１の発光領域、色温度が６５００Ｋの光を基準光としたときの演色評価数Ｒｆ、Ｒｇの１００からの差が５以下である、朝方の太陽の光に近い光を発する複数の発光素子から構成される第２の発光領域、及び色温度が３０００Ｋの光を基準光としたときの演色評価数Ｒｆ、Ｒｇの１００からの差が５以下である、夕方の太陽の光に近い光を発する複数の発光素子から構成される第３の発光領域、のうちの少なくとも１つを有する。
【００２６】
光源１１が第１の発光領域、第２の発光領域、及び第３の発光領域のうちの２つ以上の領域を有する場合、それらには独立して電源が供給され、それらを独立して発光させることができる。光源１１は、第２の発光領域のみを発光させることにより、朝方の太陽の光を模した光を発することができ、第１の発光領域のみを発光させることにより、昼頃の太陽の光を模した光を発することができ、第３の発光領域のみを発光させることにより、夕方の太陽の光を模した光を発することができる。例えば、第２の発光領域、第１の発光領域、第３の発光領域を順次発光させることにより、太陽の移ろいを表現することができる。
【００２７】
また、光源１１が第１の発光領域と第２の発光領域の少なくともいずれか一方と、第３の発光領域とを有する場合、第１の発光領域及び前記第２の発光領域が、第３の発光領域よりも発光面積が小さく、発光強度が大きいことが好ましい。これにより、第１の発光領域と第２の発光領域により、朝〜昼頃の直射日光を表現し、第３の発光領域により、夕方の広がりのある太陽光を表現することができる。また、光源１１が第１の発光領域と第２の発光領域を有する場合、第１の発光領域の発光強度を、第２の発光領域の発光強度よりも大きくして、昼頃の太陽光の強さを強調して表現することができる。
【００２８】
光源１１の各発光領域の発光強度を調整するために、例えば、発光素子の配置密度を変えることができる。例えば、第１の発光領域と第２の発光領域の発光素子の配置密度を第３の発光領域の発光素子の配置密度よりも高くして、第１の発光領域及び前記第２の発光領域の発光強度を第３の発光領域の発光強度よりも高くすることができる。また、光源１１の各発光領域の発光面積は、発光素子の配置される領域の広さによって変わる。例えば、発光領域の発光強度を変えずに発光面積を変えたい場合は、発光素子の個数を増加させて、配置密度を変えずに配置領域を広げる。
【００２９】
背景面１３は、光源１１が第１の発光領域、第２の発光領域、又は第１の発光領域と第２の発光領域から構成される場合は、青色を有彩色として含む。青色は、第１の発光領域及び第２の発光領域の発する光（青みがかった白色光）の色と同系の有彩色である。これにより、光源１１から発せられて、直接散乱板１５に入射する光により、朝〜昼頃の太陽を表現し、光源１１から発せられて、背景面１３に反射されてから散乱板１５に入射する光により、朝〜昼頃の空を表現することができる。
【００３０】
背景面１３は、光源１１が第３の発光領域から構成される場合は、オレンジ色を有彩色として含む。オレンジ色は、第３の発光領域の発する光（赤みがかった白色光）の色と同系の有彩色である。これにより、光源１１から発せられて、直接散乱板１５に入射する光により、夕方の太陽を表現し、光源１１から発せられて、背景面１３に反射されてから散乱板１５に入射する光により、夕方の空を表現することができる。
【００３１】
また、背景面１３は、光源１１が第１の発光領域と第３の発光領域、第２の発光領域と第３の発光領域、又は第１の発光領域と第２の発光領域と第３の発光領域から構成される場合は、青色、オレンジ色、又は青色とオレンジ色を有彩色として含む。
【００３２】
背景面１３が有彩色として青色を含む場合は、第１の発光領域又は第２の発光領域が発光したときに、背景面１３に反射されてから散乱板１５に入射する光により、朝〜昼頃の空を表現することができる。
【００３３】
また、背景面１３が有彩色としてオレンジ色を含む場合は、第３の発光領域が発光したときに、背景面１３に反射されてから散乱板１５に入射する光により、夕方頃の空を表現することができる。
【００３４】
また、背景面１３が有彩色として青色とオレンジ色を含む場合は、第１の発光領域又は第２の発光領域が発光したときに、背景面１３に反射されてから散乱板１５に入射する光により、朝〜昼頃の空を表現することができ、第３の発光領域が発光したときに、背景面１３に反射されてから散乱板１５に入射する光により、夕方頃の空を表現することができる。
【００３５】
なお、本実施の形態において、「青色」とは、マンセル色相環におけるＢＧ〜Ｂ〜ＰＢの色を表すものとし、「オレンジ色」とは、ＹＲの色を表すものとする。
【００３６】
背景面１３は、基板１２の一方の面に設けられている。背景面１３は、基板１２の表面に印刷、描画等された紙等を貼り付けたものであってもよいし、基板１２の表面に直接印刷、描画等したものであってもよい。また、背景面１３は、基板１２の表面の全面に設けられてもよいし、基板１２の表面の背景面１３の周りに余白（白色の領域）があってもよい。
【００３７】
拡散板１５は、ポリカーボネート樹脂やアクリル樹脂等の無色の材料からなり、表面に凹凸を有する構成や内部にビーズ等の光拡散材を含む構成、凹凸を表面に有するフィルム（拡散フィルム）が重ねられた構成等により、光を拡散する性質を有する。光源１１から発せられた光は、拡散光として拡散板１５から取り出される。拡散板１５は、例えば、拡散板１５を囲む枠１４により保持される。
【００３８】
拡散板１５は、上述のように、光源１１を構成する複数の発光素子（第１の発光素子、第２の発光素子、及び第３の発光素子）の光軸Ｌと斜めに交わるように配置される。拡散板１５を光軸Ｌと垂直に交わるように配置した場合は、発光素子の配置が視認し易くなる等、照明装置１から発せられる光の見え方が自然光から遠くなる。
【００３９】
照明装置１から発せられる光の見え方を自然光に近づけるためには、拡散板１５の面と光軸Ｌとの角度が３０°以上６０°以下の範囲にあることが好ましい。また、拡散板１５は、太陽を模した光と、その周囲の空を発光表示するため、光源１１よりも広い（面積が大きい）ことが好ましい。
【００４０】
図３は、第１の発光領域１１ａ、第２の発光領域１１ｂ、第３の発光領域１１ｃを有する場合の光源１１の構成を概略的に示す平面図である。第１の発光領域１１ａと第２の発光領域１１ｂと第３の発光領域１１ｃとは、散乱板１５の基板１０に対する最大傾斜方向に直交する方向Ｄに並んでいる。
【００４１】
第１の発光領域１１ａ及び第２の発光領域１１ｂの方向Ｄに平行な方向の幅は、第３の発光領域１１ｃの方向Ｄに平行な方向の幅よりも狭く、第１の発光領域１１ａ、第２の発光領域１１ｂ、及び第３の発光領域１１ｃの方向Ｄに直交する方向の幅は等しい。このため、第１の発光領域１１ａ及び第２の発光領域１１ｂの発光面積は、第３の発光領域１１ｃの発光面積よりも小さい。
【００４２】
また、第１の発光領域１１ａにおける第１の発光素子の配置密度は、第２の発光領域１１ｂにおける第２の発光素子の配置密度と同等か、それよりも大きく、第２の発光領域１１ｂにおける第２の発光素子の配置密度は、第３の発光領域１１ｃにおける第３の発光素子の配置密度よりも大きい。このため、第１の発光領域１１ａの発光強度は第２の発光領域１１ｂの発光強度と同等か、それよりも大きく、第２の発光領域１１ｂの発光強度は第３の発光領域１１ｃの発光強度よりも大きい。
【００４３】
図４（ａ）〜（ｃ）は、光源１１が第１の発光領域１１ａ、第２の発光領域１１ｂ、第３の発光領域１１ｃを有する場合の、背景面１３の正面から見た照明装置１の平面図である。なお、図４（ａ）〜（ｃ）においては、枠１４及び拡散板１５の図示を省略している。
【００４４】
光源１１が図３に示されるような構成を有する場合、背景面１３が、背景色が白色であって、第３の発光領域１１ｃから離れた領域から近い領域に向かって段階的に青色が濃くなる領域を有することが好ましい。図４（ａ）に示される矢印Ａは、段階的に青色が濃くなる第３の発光領域１１ｃから離れた領域から近い領域に向かう方向の一例を示す。
【００４５】
例えば、長方形の背景面１３の、第３の発光領域１１ｃから最も離れた角（図４に示される背景面１３の右下角）から第３の発光領域１１ｃに最も近い角（図４に示される背景面１３の左上角）に向かって青色が濃くなるようなグラデーションが形成されている場合、背景面１３が、第３の発光領域１１ｃから離れた領域から近い領域に向かって段階的に青色が濃くなる領域を有する。
【００４６】
このような場合、第３の発光領域１１ｃから離れた領域は、青色が薄いため、第３の発光領域１１ｃが発光したときに照明装置１の発光色にほとんど影響を与えない。一方で、第３の発光領域１１ｃに近い領域は、青色が濃いが、第３の発光領域１１ｃが発光したときにはその強い光によってほとんど視認されない。
【００４７】
すなわち、第１の発光領域１１ａ又は第２の発光領域１１ｂが発光したときには、背景面１３により朝〜昼頃の空を表現することができ、一方で、第３の発光領域１１ｃが発光したときには、第３の発光領域１１ｃが表現する夕方の太陽光に合わない青色が照明装置１の発光色に混ざることを抑制できる。
【００４８】
また、光源１１が図３に示されるような構成を有する場合、背景面１３が、背景色が白色であって、第２の発光領域１１ｂから離れた領域から近い領域に向かって段階的にオレンジ色が濃くなる領域を有してもよい。図４（ｂ）に示される矢印Ｂは、段階的にオレンジ色が濃くなる第２の発光領域１１ｂから離れた領域から近い領域に向かう方向の一例を示す。
【００４９】
例えば、長方形の背景面１３の、第２の発光領域１１ｂから最も離れた角（図４に示される背景面１３の左下角）から第２の発光領域１１ｂに最も近い角（図４に示される背景面１３の右上角）に向かってオレンジ色が濃くなるようなグラデーションが形成されている場合、背景面１３が、第２の発光領域１１ｂから離れた領域から近い領域に向かって段階的にオレンジ色が濃くなる領域を有する。
【００５０】
このような場合、第１の発光領域１１ａ及び第２の発光領域１１ｂから離れた領域は、オレンジ色が薄いため、第１の発光領域１１ａ又は第２の発光領域１１ｂが発光したときに照明装置１の発光色にほとんど影響を与えない。一方で、第１の発光領域１１ａ及び第２の発光領域１１ｂに近い領域は、オレンジ色が濃いが、第１の発光領域１１ａ又は第２の発光領域１１ｂが発光したときにはその強い光によってほとんど視認されない。
【００５１】
すなわち、第３の発光領域１１ｃが発光したときには、背景面１３により夕方頃の空を表現することができ、一方で、第１の発光領域１１ａ又は第２の発光領域１１ｂが発光したときには、第１の発光領域１１ａ及び第２の発光領域１１ｂが表現する朝〜昼頃の太陽光に合わないオレンジ色が照明装置１の発光色に混ざることを抑制できる。
【００５２】
また、光源１１が図３に示されるような構成を有する場合、背景面１３が、背景色が白色であって、第３の発光領域１１ｃから離れた領域から近い領域に向かって段階的に青色が濃くなり、第２の発光領域１１ｂから離れた領域から近い領域に向かって段階的にオレンジ色が濃くなる領域を有してもよい。図４（ｃ）に示される矢印Ａは、段階的に青色が濃くなる第３の発光領域１１ｃから離れた領域から近い領域に向かう方向の一例を示し、矢印Ｂは、段階的にオレンジ色が濃くなる第２の発光領域１１ｂから離れた領域から近い領域に向かう方向の一例を示す。
【００５３】
この場合は、上述の理由により、第１の発光領域１１ａ又は第２の発光領域１１ｂが発光したときには、背景面１３により朝〜昼頃の空を表現することができ、かつ、第１の発光領域１１ａ又は第２の発光領域１１ｂが表現する朝〜昼頃の太陽光に合わないオレンジ色が照明装置１の発光色に混ざることを抑制できる。また、第３の発光領域１１ｃが発光したときには、背景面１３により夕方頃の空を表現することができ、かつ、第３の発光領域１１ｃが表現する夕方の太陽光に合わない青色が照明装置１の発光色に混ざることを抑制できる。
【００５４】
図５（ａ）、（ｂ）は、照明装置１の動作時における拡散板１５上の光の分布を模式的に示す平面図である。図５（ａ）、（ｂ）は、照明装置１が図４（ｃ）に示されるような構成、すなわち、光源１１が第１の発光領域１１ａ、第２の発光領域１１ｂ、第３の発光領域１１ｃを有し、背景面１３が、第３の発光領域１１ｃから離れた領域から近い領域に向かって段階的に青色が濃くなり、第２の発光領域１１ｂから離れた領域から近い領域に向かって段階的にオレンジ色が濃くなる領域を有する構成を有する場合の拡散板１５上の光の分布を示している。
【００５５】
図５（ａ）は、光源１１の第２の発光領域１１ｂが発光しているときの拡散板１５上の光の分布を示している。領域Ｒ１は、第２の発光領域１１ｂに近い、最も輝度の高い領域であり、朝方の太陽を模している。領域Ｒ３は、第２の発光領域１１ｂから離れた、背景面１３で反射された青色の光を比較的多く含む低輝度の領域であり、青空を模している。領域Ｒ１と領域Ｒ３の中間に位置する領域Ｒ２は、領域Ｒ１と領域Ｒ３の中間の輝度、色を有する。
【００５６】
図５（ｂ）は、光源１１の第３の発光領域１１ｃが発光しているときの拡散板１５から発せられる光の分布を示している。領域Ｒ４は、第３の発光領域１１ｃに近い、最も輝度の高い領域であり、夕方の太陽を模している。領域Ｒ６は、第３の発光領域１１ｃから離れた、背景面１３で反射されたオレンジ色の光を比較的多く含む低輝度の領域であり、夕空を模している。領域Ｒ４と領域Ｒ６の中間に位置する領域Ｒ５は、領域Ｒ４と領域Ｒ６の中間の輝度、色を有する。
【００５７】
また、第２の発光領域１１ｂが第３の発光領域１１ｃよりも発光面積が小さく、発光強度が大きいため、朝方の太陽を模した領域Ｒ１の光は夕方の太陽を模した領域Ｒ４の光よりも範囲が狭く、かつ輝度が高い。
【００５８】
照明装置１は、例えば、車両室内の天井、サンルーフ等の搭乗者の頭上に設置したり、建物室内の天井や壁に設置したりすることができる。このような場合、例えば、拡散板１５を保持する枠１４が天井や壁の面に嵌め込まれる様に、天井や壁の内部に設置される。照明装置１の設置角度は用途や設置場所によって適宜設定される。
【００５９】
図６は、照明装置１が車両室内の搭乗者の頭上に設置される場合の照明装置１の設置角度の例を示す概念図である。図６の例では、散乱板１５の面が水平に近くなるように照明装置１が設置されている。
【００６０】
（実施の形態の効果）
上記の実施の形態によれば、従来の照明装置よりも、より太陽光らしさを感じることのできる照明装置を提供することができる。上記の実施の形態に係る照明装置によれば、太陽光と空を表現することにより、屋外での開放感や、日光を浴びたときや見たときの感覚に近い感覚を得ることができる。
【００６１】
以上、本発明の実施の形態を説明したが、本発明は、上記の実施の形態に限定されず、発明の主旨を逸脱しない範囲内において種々変形実施が可能である。例えば、背景面に、青色、オレンジ色以外の有彩色を用いて空を表現してもよい。
【００６２】
また、上記の実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００６３】
１          照明装置
１０        基板
１１        光源
１１ａ      第１の発光領域
１１ｂ      第２の発光領域
１１ｃ      第３の発光領域
１２        基板
１３        背景面
１４        枠
１５        散乱板
【図１】
2019079683.tif 000003
【図２】
2019079683.tif 000004
【図３】
2019079683.tif 000005
【図４】
2019079683.tif 000006
【図５】
2019079683.tif 000007
【図６】
2019079683.tif 000008